(57)【要約】本発明は、複数の番組を記録媒体に記録する方法（２００）およびシステム（１００）に関する。本発明は、複数のマルチメディア入力の受信ステップ（２１０）と、サンプリングした結果が、複数のマルチメディア入力の一部しか含まないように、マルチメディア入力をサンプリングするステップ（２１２）と、サンプリングされたマルチメディア入力を合成するステップ（２１４）と、サンプリングされたマルチメディア入力を符号化するのに必要な符号器の数が、複数のマルチメディア入力の数よりも少ない、サンプリングされたマルチメディア入力の符号化ステップ（２１６）とを含んでいる。本発明は更に、サンプリングされたマルチメディア入力を再生する再生ステップ（２２０）を含むことがある。或る構成例では、再生ステップは更に、復号された信号を供給するために、サンプリングされ符号化された少なくとも一つのマルチメディア入力を復号するステップ（２２６）と、少なくとも一つのマルチメディア入力の表示を可能にするために復号された信号を処理するステップ（２２８）とを含んでいることもある。
2005519489.tif 000002
【特許請求の範囲】
【請求項１】
複数のマルチメディア入力を受信するステップと、
複数のマルチメディア入力の一部しか含まないようにマルチメディア入力をサンプリングするステップと、
サンプリングされたマルチメディア入力を合成するステップと、
サンプリングされたマルチメディア入力を符号化するのに必要な符号器の数が、複数のマルチメディア入力の数よりも少ない、サンプリングされたマルチメディア入力を符号化するステップとを含んでいる、
複数の番組を記録媒体に記録する方法。
【請求項２】
更に、サンプリングされたマルチメディア入力を再生するステップを含んでいる、請求項１に記載の方法。
【請求項３】
前記再生するステップが、
復号信号を供給するために、サンプリングされ符号化された少なくとも一つのマルチメディア入力を復号するステップと、
少なくとも一つのマルチメディア入力を再生可能なように復号信号を処理するステップとを含んでいる、請求項２に記載の方法。
【請求項４】
前記処理するステップが、サンプリングされた少なくとも一つのマルチメディア入力を高品質変換するステップを含む、請求項３に記載の方法。
【請求項５】
サンプリングされた少なくとも一つのマルチメディア入力と組み合わせるダミー入力を発生するステップをも含んでいる、請求項１に記載の方法。
【請求項６】
前記複数のマルチメディア入力が、ビデオ、オーディオ、もしくはビデオとオーディオの組み合わせからなるグループから選択されたマルチメディア・データを含んでいる、請求項１に記載の方法。
【請求項７】
複数のマルチメディア入力のそれぞれがオーディオ信号とビデオ信号を含んでいる、請求項１に記載の方法。
【請求項８】
ビデオ信号を含んでいるマルチメディア入力がＤ１ビデオ信号を含み、前記サンプリングされたステップがＤ１ビデオ信号をＤ１ビデオ信号の半分にサンプリングするステップを含んでいる、請求項６に記載の方法。
【請求項９】
ビデオ信号を含んでいるマルチメディア入力がＤ１ビデオ信号を含み、前記サンプリングされたステップがＤ１ビデオ信号をＳＩＦビデオ信号にサンプリングするステップを含んでいる、請求項６に記載の方法。
【請求項１０】
オーディオ信号を含んでいるマルチメディア入力が、２チャンネルよりも多いオーディオ信号を含み、前記サンプリングされたステップがオーディオ信号をステレオ信号にサンプリングするステップを含んでいる、請求項６に記載の方法。
【請求項１１】
オーディオ信号を含んでいるマルチメディア入力が、２チャンネルよりも多いオーディオ信号を含み、前記サンプリングされたステップがオーディオ信号をモノラル信号にサンプリングするステップを含んでいる、請求項６に記載の方法。
【請求項１２】
複数のマルチメディア入力の一部しか含まないようにマルチメディア入力をサンプリングする少なくとも一つのサンプラーと、
サンプリングされたマルチメディア入力信号を合成する合成装置と、
サンプリングされたマルチメディア入力信号を符号化する符号器であって、その数が複数のマルチメディア入力の数より少ない、少なくとも一つの符号器と、
を含んでいる、複数のマルチメディア入力を符号化するシステム。
【請求項１３】
複数のマルチメディア入力がオーディオ信号を含み、
オーディオ信号を受信する受信機と、
オーディオ信号のチャンネル数を減少するダウンミクサーと、
ダウンミクシングされたオーディオ信号を符号化する符号器であって、その数がオーディオ信号の数よりも少ない、少なくとも一つの符号器とを含んでいる、
請求項１２に記載のシステム。
【請求項１４】
複数のマルチメディア入力がビデオ信号とオーディオ信号からなり、ビデオ信号とオーディオ信号を多重化するマルチプレクサを含んでいる、請求項１３に記載のシステム。
【請求項１５】
復号信号を供給するために、サンプリングされ符号化された少なくとも一つのマルチメディア入力を復号する復号器と、
少なくとも一つのマルチメディア入力の再生を可能にするために復号信号を処理する処理装置とを含んでいる、
請求項１４に記載のシステム。
【請求項１６】
オーディオ信号とビデオ信号を分離するデマルチプレクサを含んでいる、請求項１５に記載のシステム。
【請求項１７】
オーディオ信号とビデオ信号を出力する再生装置を含んでいる、請求項１６に記載のシステム。
【請求項１８】
少なくとも一つのサンプリングされたマルチメディア入力と組み合わせるためのダミー番組信号を発生するダミー番組信号発生装置を含んでいる、請求項１２に記載のシステム。
【請求項１９】
符号器の数が、マルチメディア入力信号をサンプリングするために用いられるサンプラーの数よりも少ない、請求項１２に記載のシステム。
【請求項２０】
複数のマルチメディア入力信号を受信する受信装置と、
サンプリングされたマルチメディア入力信号が、複数のマルチメディア入力信号の一部しか含まないようにマルチメディア入力信号をサンプリングする少なくとも一つのサンプラーと、
サンプリングされたマルチメディア入力信号を合成する合成装置と、
サンプリングされたマルチメディア入力信号を符号化する符号器であって、その数が複数のマルチメディア入力信号の数より少ない、少なくとも一つの符号器と、
ビデオ信号とオーディオ信号を多重化するマルチプレクサと、
復号信号を供給するために、サンプリングされ符号化された少なくとも一つのマルチメディア入力を復号する復号器と、
少なくとも一つのマルチメディア入力の再生を可能にするために、復号信号を処理する処理装置と、
オーディオ信号とビデオ信号を分離するデマルチプレクサと、
少なくとも一つのサンプリングされたマルチメディア入力と組み合わせるためのダミー入力信号を発生するダミー番組信号発生装置と、
オーディオ信号とビデオ信号を出力する表示装置と、
を含んでいる、ビデオ信号とオーディオ信号を含んでいる複数のマルチメディア入力信号を符号化するシステム。
【発明の詳細な説明】
【技術分野】
【０００１】
本発明は、ビデオ記録装置に関し、特に、ディジタル符号化されたビデオ信号を、ＤＶＤ、ハード・ディスク、光磁気ディスク、およびディジタル・テープのような記録媒体に記録する方法および装置に関する。
【背景技術】
【０００２】
多くの視聴者が、好みの番組を記録するために記録装置を持っている。しかしながら、最近では、視聴者は番組の選択肢の余りの多さに圧倒されている。例えば、衛星放送システムのなかには５００チャンネル以上の番組を有するものもある。結果として、視聴者が幾つかの番組を記録しようとすると、１台の記録装置では非常に制限される。
【０００３】
一解決策として、視聴者は複数の記録装置を購入し、それぞれの記録装置に別々の番組を記録させることができる。あるいは、複数の符号器と復号器を一台の記録装置と組み合わせて、複数のビデオ信号を記録することもできる。しかしながら、何れにせよ、このような手段では無視できない費用の高騰を伴なう。更に、複数の符号器と復号器を用いる記録装置では、必要とされる単位時間当たりのビット数が記録装置の限界を超す可能性があり、記録装置の設計が複雑になる。１台、もしくは２台以上の光ディスクを追加すれば、ビット数の問題は解決されるが、この手段も高コストと設計の複雑さのため充分ではない。従って、コスト上昇と設計の複雑さを実用的な範囲に留め、複数のビデオ信号を記録再生することのできる記録装置が必要となる。
【発明の開示】
【０００４】
（発明の概要）
本発明は、複数の番組を記録媒体に記録する方法に関する。本発明による方法は、複数のマルチメディア（ｍｕｌｔｉｍｅｄｉａ：オーディオやグラフィックス、アニメーション、ビデオを結合したもの。）入力信号を受信するステップと、その結果が入力信号の一部しか含まないように複数のマルチメディア入力信号をサンプリングするステップと、複数のサンプリングされたマルチメディア入力信号を合成するステップと、サンプリングされたマルチメディア入力信号を符号化する符号器の数が、複数のマルチメディア入力信号の数よりも少ない、サンプリングされたマルチメディア入力信号を符号化するステップとを含んでいる。本発明による方法は、サンプリングされたマルチメディア入力を再生するステップを含んでいてもよい。或る構成例では、再生ステップは更に、復号された信号を供給するために、複数のサンプリングされ符号化されたマルチメディア入力信号の少なくとも一つを復号するステップと、少なくとも一つのマルチメディア入力信号を再生できるように、復号された信号を処理するステップとを含んでいる。更に、信号処理のステップは、少なくとも一つのサンプルリングされたマルチメディア入力を高品質に変換するステップを含んでいる場合がある。  
【０００５】
別の構成例では、本発明による方法は、少なくとも一つのサンプリングされたマルチメディア入力信号と組み合わせるダミー（ｄｕｍｍｙ）入力信号を発生するステップを含んでいる。更に、複数のマルチメディア入力信号は、ビデオ（ｖｉｄｅｏ）、オーディオ（ａｕｄｉｏ）、もしくは両者を組み合わせた信号から成るグループから選択したデータを含んでいる。更に、複数のマルチメディア入力信号の、それぞれがビデオとオーディオの両方を含んでいてもよい。
【０００６】
ビデオ信号に関しては、マルチメディア入力信号はＤ１ビデオ信号を含むことが可能であり、そしてサンプリングするステップでＤ１ビデオ信号をその半分に変換することがある。更に、マルチメディア入力信号はＤ１ビデオ信号を含むことが可能であり、しかもサンプリングするステップで、Ｄ１ビデオ信号をＳＩＦビデオ信号に変換することがある。オーディオ信号に関しては、マルチメディア入力信号は、２チャンネルよりも多チャンネルのオーディオ信号を含むことが可能であり、そしてサンプリングするステップが、２チャンネルよりも多チャンネルのオーディオ信号をステレオ信号に変換するステップを含んでいることがある。更に、マルチメディア入力信号は、２チャンネルよりも多チャンネルのオーディオ信号を含むことが可能であり、そしてサンプリングするステップが、２チャンネルよりも多チャンネルのオーディオ信号をモノラル信号に変換するステップを含んでいることがある。
【０００７】
また、本発明は、複数のマルチメディア入力信号を符号化するシステムにも関する。このシステムは、複数のマルチメディア入力信号をサンプリングした結果が、複数のマルチメディア入力信号の一部しか含まないような、少なくとも一つのサンプラーと、サンプリングされたマルチメディア入力信号を合成する合成器と、そしてサンプリングされたマルチメディア入力信号を符号化する少なくとも一つの符号器とを含んでいる。ここで、符号器の数は、マルチメディア入力信号の数、もしくはマルチメディア入力信号をサンプリングするのに用いたサンプラーの数よりも少ない。或る構成例では、複数のマルチメディア入力信号はオーディオ信号を含み、システムは更に、オーディオ信号を受信する受信機と、オーディオ信号チャンネル数を少なくするダウンミクサーと、ダウンミクシングされたオーディオ信号を符号化する少なくとも一つの符号器とを含んでいる。ここで、符号器の数はオーディオ信号の数よりも少ない。別の構成例では、複数のマルチメディア入力信号はビデオ信号とオーディオ信号の両方を含み、更にシステムはビデオ信号とオーディオ信号を多重化するマルチプレクサを含んでいる。
【０００８】
またシステムは、復号した信号を供給するための、少なくとも一つのサンプリングされ符号化されたマルチメディア入力信号を復号する復号器と、少なくとも一つのマルチメディア入力信号を再生できるように、復号された信号を処理する処理装置とを含んでいる。更にシステムはビデオ信号とオーディオ信号を分離するデマルチプレクサと、ビデオ信号とオーディオ信号を再生する再生装置を含んでいる。また、システムは、少なくとも一つのサンプリングされたマルチメディア入力信号と組み合わせるダミー入力（ｄｕｍｍｙ  ｉｎｐｕｔ）を発生するダミー番組発生装置を含んでいることがある。
【発明を実施するための最良の形態】
【０００９】
本発明による構成に従って、種々の高度の動作を実現するシステム１００が、図１にブロック図形式で示されている。しかしながら、本発明は、ビデオ信号を符号化し、それを復号できる適切なシステムに於いて実現できるので、図１に示された実施形態に限られるものではない。システム１００は、マルチメディア入力信号を受信して処理し、それを記録媒体（表示されていない）に記録する符号化経路１１０を含んでいる。更に、システム１００は、記録媒体から読み取ったマルチメディア信号を処理する復号化経路１１２を含んでいる。或る構成例では、これらのマルチメディア入力信号、および記録媒体から読み取ったマルチメディア信号は、ビデオとオーディオ、および両者の組み合わさった信号を含んでいる。
【００１０】
図１に示されているように、符号化経路１１０は、それぞれ対応する幾つかのビデオ信号をサンプリングする、１つもしくはそれ以上のサンプラー１１４を含んでいる。ビデオ合成器１１６に供給され、これらのサンプリングされたビデオ信号は、ビデオ合成器１１６に供給され、ビデオ合成器１１６により合成または結合される。次いで、これらの信号は、ビデオ符号器１１８により符号化され、マルチプレクサ１２０に送られる。また、符号化経路１１０は、対応する幾つかのオーディオ信号をサンプリングもしくはダウンミクシングする、１つもしくはそれ以上のダウンミクサー１２２の形式で１つまたはそれ以上のサンプラーを含んでいる。このダウンミクシングされたオーディオ信号はオーディオ合成器１２３により合成される。これらのダウンミクシングされたオーディオ信号は、オーディオ符号器１２４により符号化された後、マルチプレクサ１２０によりビデオ信号と多重化される。これらの信号は、コントローラ（表示されていない）に送られ、それによって記録媒体に記録される。後述するように、符号化経路１１０は、ダミー番組信号発生器１４０を含んでいることもある。ダミー番組信号発生器１４０により作られたダミー番組信号は、１つもしくはそれ以上のサンプリングされた入来のビデオ信号と組み合わされる。
【００１１】
復号化経路１１２を参照すると、記録媒体から読み取られたマルチメディア・データは、デマルチプレクサ１２６により受け取られ分離される。或る構成例では、マルチメディア・データがビデオ信号を含んでいるとき、ビデオ信号はビデオ信号復号器１２８により復号されてからビデオ信号選択器１３０に送られる。次に、ビデオ信号は、ビデオ表示処理装置１３２により処理された後に、例えば表示装置（表示されていない）に送られる。後述するように、ビデオ表示処理装置１３２は、復号されたビデオ信号を表示する前に、復号されたビデオ信号の画質を高品質化したり或いは画質改善する。或る構成例では、ビデオ表示処理装置１３２は走査線倍増器である。しかしながら、画像品質を高品質化できる既知の装置が使用可能なので、本発明のビデオ表示処理装置１３２は走査線倍増器に限られるものではない。
【００１２】
マルチメディア・データがオーディオ信号を含んでいるとき、オーディオ信号はオーディオ信号復号器１３４により復号されてからオーディオ信号選択器１３６に送られる。その後、オーディオ信号は表示装置に送られる。他の構成例では、復号化経路１１２は、ビデオ信号選択器１３０とオーディオ信号選択器１３６に接続されたコントロール・インタフェースを備えた番組選択器１３８を含んでいることがある。符号化経路１１０で実行される受信ステップと符号化ステップの間に、複数のビデオ信号およびオーディオ信号が記録媒体に記録可能であるから、使用者は、番組選択器１３８を使うことにより、記録媒体から読み取られたビデオ信号もしくはオーディオ信号の何れかを選択することができる。使用者が、番組選択器１３８を使って選択した信号だけがビデオ信号選択器１３０もしくはオーディオ信号選択器１３６に送られる。符号化経路１１０および復号化経路１１２で実行されるステップは後に詳述される。
【００１３】
複数の番組の記録と再生
本発明によれば、複数の番組が記録媒体に記録可能である。特に、複数のマルチメディア入力信号は受信されたのちに、その入力信号の一部しか含まないようにサンプリングされる。これらのサンプルリングされたマルチメディア入力信号は、合成された後に符号化される。ここで、必要な符号器の数は、マルチメディア入力信号の数、もしくは複数のマルチメディア入力信号をサンプリングするのに使われたサンプラーの数よりも少数である。また、少なくとも一つのサンプリングされたマルチメディア入力信号を復号し、復号した信号を、少なくとも一つのマルチメディア入力を表示するように処理することにより、サンプリングされたマルチメディア入力信号を表示することが可能である。更に、信号処理のステップの間、再生しようとする１つもしくはそれ以上の復号されたマルチメディア入力信号を高品質に変換することが可能である。
【００１４】
図２は、符号器の数を減少もしくは最小にすることにより、複数の番組を記録媒体に記録する、一つの方法をフローチャートで示している。ステップ２１０で、複数のマルチメディア入力信号を受信する。これらのマルチメディア入力信号はオーディオ信号か、ビデオ信号か、もしくは両者を組み合わせたものである。更に、本発明では、任意の数の入力信号を受信することができる。
【００１５】
ステップ２１２において、これらのマルチメディア入力信号は、複数のマルチメディア入力信号の一部しか含まないようにサンプリングされる。例えば、サンプリングされた複数のマルチメディア入力信号の各々に含まれる画像の解像度は、サンプリングされる前の複数のマルチメディア入力信号の各々に含まれる画像の解像度よりも劣る。このステップを実行する場合、いろいろなサンプリング方法が適用可能である。例えば、画像信号が受信されている場合には、画面の線数を減らすか、もしくはピクセルの数を減らすことにより、画像信号の解像度を粗くすることができる。オーディオ信号が受信されている場合には、それぞれのオーディオ信号に含まれるチャンネルの一つか複数のチャンネルを取り除くようにサンプリングするか、ダウンミクシングすることができる。しかしながら、他の適切な方法でマルチメディア入力信号をサンプリングすることができるので、本発明は、特定のサンプリングの方法によって限定されるものでないことは明らかである。
【００１６】
次に、サンプリング過程の一例を説明する。二つのＤ１ビデオ信号を受信することができる。Ｄ１ビデオ信号の解像度は、７２０×４８０であるが、ときには７０４×４８０のこともある。これらのＤ１ビデオ信号は、１／２  Ｄ１、すなわち３５２×４８０の解像度に変換するようにサンプリングすることができる。この結果、それぞれの１／２  Ｄ１信号は、元のＤ１信号の一部しか含まない。別の例では、Ｄ１信号は、１／４  Ｄ１信号、もしくは標準形式信号（Ｓｔａｎｄａｒｄ  Ｉｎｐｕｔ  Ｆｏｒｍａｔ：ＳＩＦ）である、３５２×２４０の解像度に変換される。Ｄ１、１／２  Ｄ１、それに１／４  Ｄ１ビデオ信号は従来の形式であるので、前記の例は本発明の理解に役立つものであるが、本発明はこれらの例によって限定されるものではない。実際、任意の数の入来ビデオ信号を、任意の解像度もしくは画像サイズにサンプリングすることが可能である。
【００１７】
更に他の例として、それぞれが４チャンネルの二つのオーディオ信号を受信する。これらの入力オーディオ信号はサンプリング過程もしくはダウンミクシングにより、それぞれが２チャンネル、すなわちステレオのオーディオ信号しか含まないようにすることができる。別の例としては、４チャンネルの入力オーディオ信号をダウンミクシングにより、一つのチャンネルしか含まないように変換できる、すなわち、それぞれのオーディオ信号はモノラルである。入力がビデオ信号の場合と同様に、任意の数の入力オーディオ信号を、任意の形式、もしくは任意のサイズのオーディオ信号にサンプリングし、もしくはダウンミクシングすることが可能なので、本発明は前記の例によって限定されるものではない。
【００１８】
マルチメディア入力信号が目的に応じて適切にサンプリングされると、ステップ２１４に示されるように、複数のサンプリングされた入力を組み合わせることができる。例えば、二つのＤ１信号を受信して、１／２  Ｄ１信号にサンプリングしたならば、この二つの１／２  Ｄ１信号を組み合わせると、単一のＤ１信号に含まれるのと同じ解像度になる。同様に、二つの別個の４チャンネルのオーディオ信号をダウンミクシングして二つのステレオ信号に変換して、組み合わせると単一の４チャンネルのオーディオ信号になる。
【００１９】
或る構成例では、ダミー番組信号を発生し、それを一つもしくは複数のサンプリングされた入力ビデオ信号と組み合わせることにより、ダミー番組信号を含んだ合成の解像度をＤ１ビデオ信号と同じものにする。このダミー番組信号は空白の画面のように全く内容のないものでよい。例えば、三組のＤ１信号を受信する。１／４  Ｄ１形式は標準の一つなので、これらのＤ１信号を１／４  Ｄ１信号に変換するとしよう。しかしながら、三組のＤ１信号を１／４  Ｄ１形式に変換して合成した結果はＤ１信号の解像度とは異なる。ここで注意しなければならないことは、多くのビデオ信号符号器は、Ｄ１解像度の信号を効率よく処理することができることである。従って、１／４  Ｄ１解像度のダミー番組信号を追加することによりＤ１解像度に変換し、符号器の効率を上げることが有効な場合がある。しかしながら、ビデオ信号符号器の効率を上げるために、任意の数のサンプリングされたビデオ信号にダミー番組信号を追加することが可能なので、本発明は前記の例によって限定されるものではない。
【００２０】
マルチメディア入力信号が目的に応じて適切にサンプリングされると、ステップ２１６に示されるように、入力信号を符号化できる。注目すべきは、マルチメディア入力信号がサンプリングされているので、必要な符号器の数は、元のマルチメディア入力信号の数よりも少ないことである。例えば、通常の記録装置が、二組のＤ１ビデオ信号を受信すると、二組のＤ１ビデオ信号を同時に符号化するためには、２台の別個のビデオ信号符号器を必要とする。同様に、二組の４チャンネル音声信号を受信する場合には、それぞれの入力信号を符号化するために、記録装置は２台のオーディオ符号器を必要とする。
【００２１】
しかしながら、本発明による構成では、マルチメディア入力信号をサンプリングすることにより、マルチメディア入力信号を符号化するのに必要な符号器の数を通常の場合に比較して少なくすることが可能である。例えば、二組のＤ１ビデオ信号を１／２  Ｄ１信号にサンプリングしてから、合成することにより、一台の符号器で両方の信号を同時に符号化することができる。この例では、符号化するのに必要な符号器の数を２台から１台に減らすことができる。更に、４組のＤ１ビデオ信号を４組の１／４  Ｄ１信号にサンプリングして合成すると、これらの１／４  Ｄ１信号を符号化するには１台の符号器しか必要としない。
【００２２】
また他の例として、それぞれが４チャンネルの二組のオーディオ信号の、それぞれをステレオ音声にダウンミクシングして合成すれば、ダウンミクシングした信号を同時に符号化するのに、１台の４チャンネル音声符号器しか必要としない。更に、それぞれが４チャンネルの４組のオーディオ信号の、それぞれをモノラル音声にダウンミクシングして合成すれば、ダウンミクシングした信号を同時に符号化するのに、１台の４チャンネルオーディオ符号器しか必要としない。この結果、サンプリングされたマルチメディア入力信号を符号化するのに必要な符号器の数は、元のマルチメディア受信信号の数よりも少なく、故に、実際に受信されたマルチメディア信号の数よりも少ない。しかしながら、任意の数のマルチメディア入力信号を受信して、その入力信号を符号化する符号器の数を減らす目的で、任意の適切な形式にサンプリングすることが可能なので、本発明は前記の例によって限定されるものではない。
【００２３】
或る構成例では、ステップ２１８に示されているように、サンプリングされたマルチメディア入力信号は符号化された後で、記録媒体に記録される。決定ブロック２２０に示されているように、これらのサンプリングされたマルチメディア入力信号を再生するか否かの決定を下すことができる。もし再生しないなら、処理過程はステップ２２２で終了する。もしサンプリングされたマルチメディア入力信号を再生するのであれば、ステップ２２４に示されているように、これらの入力は記録媒体から読み込まれる。これらのマルチメディア入力信号の一つもしくは複数の信号が、ステップ２２６で復号される。具体的には、サンプリングされたビデオ信号とダウンミクシングしたオーディオ信号が復号される。ステップ２２８に示されているように、少なくとも一つのマルチメディア入力信号を再生するために、これらの復号された信号に処理が行われる。ある例では、複数のサンプリングされた入力信号を記録媒体から読み込むことが可能なので、使用者はそれらの入力のうちのどれを再生するかを選択することができる。例えば、もし４組の１／４  Ｄ１信号が符号化されて記録媒体に記録されたならば、使用者は４組の信号のなかから、任意の数の信号を選択して見ることができる。再生と選択されたビデオ信号は表示装置に送られ、選択されなかったビデオ信号は表示されない。更に、使用者はどのオーディオ信号を再生するかを選択することができ、更に、任意のオーディオ信号と任意のビデオ信号を組み合わせて再生することができる。
【００２４】
或る構成例では、画像品質を改良するために、再生用の復号されたビデオ信号の処理を行うことがある。例えば、復号されたビデオ信号は走査線倍増器、もしくは任意の画像品質改良装置に送られる。フローチャート２００は最終的にステップ２３０で完了する。
【００２５】
本発明は、ここに開示された実施例によって説明されたが、この説明は特許請求の範囲によって定められる本発明の範囲を理解容易にするためのもので、実施例によって限定されるものではない。
【図面の簡単な説明】
【００２６】
【図１】本発明に従って、複数のマルチメディア入力信号を符号化するシステムのブロック図である。
【図２】本発明に従って、マルチメディア入力信号を符号化し、そして、符号化された信号を復号する動作のフローチャートである。
【図１】
2005519489.tif 000003
【図２】
2005519489.tif 000004
【国際調査報告】
2005519489.tif 000005
2005519489.tif 000006
2005519489.tif 000007